(57)【要約】      （修正有）【課題】出液量および回流量を制御し、流出量を精算することでコスト管理とコストダウンの効果を達することができる洗剤販売設備を提供する。【解決手段】洗剤販売設備には、ボックス１、吐水口２、精算ユニット３、制御ユニット４、モーター５、出口管６、入口管７、電源８、三通管９、第一バルブ１０、水力ダメ１１が設けられ、吐水口がボックスの第一側面に、精算ユニットが第二側面に設けられ、制御ユニットと精算ユニットがモーターに電気連結されている。水力ダメには洗剤が入れられ、入口管は出口バルブ１４及びモーターと連通し、三通管には第一管口９１、第二管口９２、第三管口９３が設けられ、第一管口はモーターと連結し、第一バルブ１０により第二管口は開閉でき、出口管は第一バルブと吐水口に連通している。また、回流管１２と第二バルブ１３が設けられ、第二バルブにより第三管口は開閉でき、回流管は第二バルブと水力ダメの回流穴１５に連通している。【選択図】図１
0003201630.tif 000002
【実用新案登録請求の範囲】
【請求項１】
本考案の洗剤販売設備にはボックス、吐水口、精算ユニット、制御ユニット、モーター、出口管、入口管、電源、三通管、第一バルブ、水力ダメが設けられており、吐水口がボックスの第一側面に設けられ、精算ユニットがボックスの第二側面に設けられており、また、制御ユニットと精算ユニットがモーターに電気連結し、そして、ボックスの内部或いは外部に設けられる水力ダメには洗剤を入れられ、なお、水力ダメには出口バルブがあり、入口管の両端はそれぞれ出口バルブ及びモーターと連通し、そして、三通管には第一管口、第二管口、第三管口が設けられ、第一管口はモーターと連結し、第一バルブと第二管口の連通は開閉でき、また、出口管の両端にはそれぞれ第一バルブと吐水口に連通しており、また、洗剤販売設備には回流管と第二バルブが設けられており、水力ダメが回流穴を設けられ、第二バルブと第三管口の連通は開閉でき、なお、回流管の両端にはそれぞれ第二バルブと回流穴に連通することを特徴とする洗剤販売設備。
【請求項２】
前記第一側面と第二側面は同じ側面或いは異なる側面であることを特徴とする請求項１に記載の洗剤販売設備。
【請求項３】
前記精算ユニットはコイン清算、紙幣清算、電子マネー清算あるいは上述少なくとも２種類の組み合わせであることを特徴とする請求項１に記載の洗剤販売設備。
【請求項４】
前記洗剤販売設備には更にモニターが設けられており、少なくても制御ユニット及び電源と電気連結することを特徴とする請求項１に記載の洗剤販売設備。
【請求項５】
前記洗剤販売設備には更に流量制御電磁弁が第一バルブと吐水口の間にある出口管に設けられ、また、洗剤の流量を制御するために流量制御電磁弁と制御ユニットが電気連結させることを特徴とする請求項１に記載の洗剤販売設備。
【請求項６】
前記水力ダメの出口バルブが下方に位置し、そして、回流穴が上方に位置することを特徴とする請求項１に記載の洗剤販売設備。
【請求項７】
前記電源が主電源であることを特徴とする請求項１に記載の洗剤販売設備。
【請求項８】
前記洗剤は洗濯用粉末洗剤、洗濯用柔軟剤、洗濯用液体洗剤、リンス、シャンプー、コンディショナー、ボディソープであることを特徴とする請求項１に記載の洗剤販売設備。
【請求項９】
前記制御ユニットは時間の長さでモーターの作動を制御し、並びに対応する清算ユニットで清算したより小さい出液量を制御することを特徴とする請求項１に記載の洗剤販売設備。
【請求項１０】
前記清算ユニットの近隣位置にコイン入れた後の液出し過程に一時停止する状況の中止および起動を操作する開閉ボタンを設けられることを特徴とする請求項１に記載の洗剤販売設備。
【考案の詳細な説明】
【技術分野】
【０００１】
この考案は販売応用領域に係り、特に洗剤販売設備に関する。
【背景技術】
【０００２】
この考案は考案者が中華民国特許番号Ｍ４１５３７７及びＭ４３４２７３の洗剤販売設備に対して改良するものである。前記特許で提供するとろみ状の液体洗剤販売機には、主にモーターより桶からとろみ状の液体洗剤を抽出してから、外部にある消費者の容器に輸出する形態である。しかし、とろみ状の液体の流量は制御しにくく、よく出液量を正確的に制御できない状況を起こし、時には多くなり、時には少なくなることによって、消費者からのクレームや不満を受けやすく、改善すべきのである。
【０００３】
そのため、考案者が多年この関連業界で関連製品の開発や設計を経験し、上述した目標に対し、周知技術の欠点を改良した後、本考案を提出するのである。
【先行技術文献】
【特許文献】
【０００４】
【特許文献１】中華民国特許番号Ｍ４１５３７７
【特許文献２】中華民国特許番号Ｍ４３４２７３
【考案の概要】
【考案が解決しようとする課題】
【０００５】
この考案の目的は第一バルブと第二バルブの設置により出液量と回流量を制御し、そして回流管の設置により浪費あるいは出液量の不確定を避けるため余る洗剤を回流させ、更に流量で制御弁を計算してから流出量を精算させることによって、構造の簡易化および流出量の精算でコスト管理とコストダウンの効果を達する洗剤販売設備を提供することである。
【課題を解決するための手段】
【０００６】
上記目的を達成するためになされた洗剤販売設備は、ボックス、吐水口、精算ユニット、制御ユニット、モーター、出口管、入口管、電源、三通管、第一バルブ、水力ダメが設けられており、吐水口がボックスの第一側面に設けられ、精算ユニットがボックスの第二側面に設けられており、また、制御ユニットと精算ユニットがモーターに電気連結し、そして、ボックスの内部或いは外部に設けられる水力ダメには洗剤を入れられ、なお、水力ダメには出口バルブがあり、入口管の両端はそれぞれ出口バルブ及びモーターと連通し、そして、三通管には第一管口、第二管口、第三管口が設けられ、第一管口はモーターと連結し、第一バルブと第二管口の連通は開閉でき、また、出口管の両端にはそれぞれ第一バルブと吐水口に連通しており、また、洗剤販売設備には回流管と第二バルブが設けられており、水力ダメが回流穴を設けられ、第二バルブと第三管口の連通は開閉でき、なお、回流管の両端にはそれぞれ第二バルブと回流穴に連通することを特徴とする洗剤販売設備であることを要旨としている。
【０００７】
ある実施例の中、第一側面と第二側面は同じ側面或いは異なる側面である。
【０００８】
ある実施例の中、精算ユニットはコイン清算、紙幣清算、電子マネー清算あるいは上述少なくとも２種類の組み合わせである。
【０００９】
前記洗剤販売設備には更にモニターが設けられており、少なくても制御ユニット及び電源と電気連結するのである。
【００１０】
前記洗剤販売設備には更に流量制御電磁弁が第一バルブと吐水口の間にある出口管に設けられ、また、洗剤の流量を制御するために流量制御電磁弁と制御ユニットが電気連結させるのである。
【００１１】
ある実施例の中、水力ダメの出口バルブが下方に位置し、そして、回流穴が上方に位置するのである。
【００１２】
ある実施例の中、電源が主電源である。
【００１３】
ある実施例の中、洗剤は洗濯用粉末洗剤、リンス、ボディソープである
【００１４】
ある実施例の中、制御ユニットは時間の長さでモーターの作動を制御し、並びに対応する清算ユニットで清算したより小さい出液量を制御するのである。
【００１５】
この考案は前記目的およびメリットは以下選ばれる実施例の詳細説明と図面で理解することができる。
【００１６】
もちろん、この考案は別の新案での差異を認められるが、選ばれた実施例については、本説明書で詳しく説明し、図面でその構造を表示するのである。
【図面の簡単な説明】
【００１７】
【図１】本考案の洗剤販売設備のイメージ図
【図２】本考案の洗剤販売設備の外観イメージ図
【考案を実施するための形態】
【００１８】
実施形態と配合図面は以下で詳しく説明するのであり、本考案を前記目的を達成するための技術手段を説明するために用いられる内容である。
【００１９】
まず、図１と図２を参照する。本考案の洗剤販売設備１００は、ボックス１、吐水口２、精算ユニット３、制御ユニット４、モーター５、出口管６、入口管７、電源８、三通管９、第一バルブ１０および水力ダメ１１が設けられている。
【００２０】
吐水口２がボックス１の第一側面に設けられ、精算ユニット３がボックス１の第二側面に設けられており、そして、第一側面と第二側面は同じ側面或いは異なる側面である。この考案は同じ側面で説明したが、この範囲を制限してはならないのである。
【００２１】
吐水口２で流出した洗剤は消費者より提供する容器２００（ペットボトルなど）に盛り付けるのである。
【００２２】
また、精算ユニット３はコイン清算、紙幣清算、電子マネー（クレジットカード、悠遊カードなど）清算あるいは上述少なくとも２種類の組み合わせである。そして、清算ユニット３の近隣位置にコイン入れた後の液出し過程に一時停止する状況（容器の交換あるいは容器を出口管に合わせるために調整するなど）の中止および起動を操作する開閉ボタン３１を設けられる。
【００２３】
制御ユニット４と精算ユニット３がモーター５に電気連結し、そして、水力ダメ１１にはペースト状の洗剤（洗濯用粉末洗剤、洗濯用柔軟剤、洗濯用液体洗剤、リンス、シャンプー、コンディショナー、ボディソープなど）を充填することができ、また、水力ダメ１１がボックス１の内部或いは外部に設けられ（本考案は内部の図面を説明したが、この範囲を制限してはならないのである）、水力ダメ１１には出口バルブ１４があり、入口管７の両端はそれぞれ出口バルブ１４及びモーター５と連通し、そして、三通管９には第一管口９１、第二管口９２、第三管口９３が設けられ、第一管口９１はモーター５と連結し、第一バルブ１０と第二管口９２の連通は開閉でき、また、出口管６の両端にはそれぞれ第一バルブ１０と吐水口２に連通するのである。
【００２４】
本考案の洗剤販売設備１００には回流管１２と第二バルブ１３が設けられており、水力ダメ１１が回流穴１５を設けられ、第二バルブ１３と第三管口９３の連通は開閉でき、なお、回流管１２の両端にはそれぞれ第二バルブ１３と回流穴１５に連通するのである。
【００２５】
良い例では、水力ダメ１１の出口バルブ１４が下方に位置し、そして、回流穴１５が上方に位置するのである。
【００２６】
本考案の洗剤販売設備１００には更にモニター１６が設けられており、少なくても制御ユニット４及び電源５（主電源など）と電気連結し、洗剤の流出量、精算数字などの情報を表示するのである。
【００２７】
また、本考案の洗剤販売設備１００には更に流量制御電磁弁１７が第一バルブ１０と吐水口２の間にある出口管６に設けられ、また、洗剤の流量を制御するために流量制御電磁弁１７と制御ユニット４が電気連結させるのである。
【００２８】
初期設定の時には手動で第一バルブ１０と第二バルブ１３を調整し、以下は５０台湾ドルで２、５００ミリリットルの洗剤を提供する例について説明する。
【００２９】
初期設定の時、第一バルブ１０と第二バルブ１３を一般流量として調整しておき、５０台湾ドルで２、３００ミリリットルの洗剤を提供するように調整する時、第一バルブ１０に一般流量より少なくなり、第二バルブ１３に一般流量より多くなるように調整し、この時、余る洗剤は回流管１２によって水力ダメ１１に回流し、そして、出口管６に通る洗剤の流量を流量制御電磁弁１７の感応によって制御ユニット４にフィードバックさせ、２、３００ミリリットルの流出量に達してからモーター５の作動を停止させ、洗剤の提供を停止するように達するのである。
【００３０】
なお、５０台湾ドルで２、７００ミリリットルの洗剤を提供するように調整する時、第一バルブ１０に一般流量より多くなり、第二バルブ１３に一般流量より少なくなるように調整し、この時、余る洗剤は回流管１２によって水力ダメ１１に回流し、そして、出口管６に通る洗剤の流量を流量制御電磁弁１７の感応によって制御ユニット４にフィードバックさせ、２、７００ミリリットルの流出量に達してからモーター５の作動を停止させ、洗剤の提供を停止するように達するのである。
【００３１】
制御ユニット４に出液量を計算するように提供するため、消費者がコイン、紙幣、クレジットカード、悠遊カードなどを精算ユニット３に入金し、またはボタン（図に示していない）或いはモニター１６でのタッチ方法で出したい出液量を入力する。消費者に提供するため、制御ユニット４がモーター５を起動させてから、モーター５にはすぐに入口管７で水力ダメ１１にある洗剤を抽出し、そして、三通管９の第一管口９１と第二管口９２で出口管６を通ってから吐水口２に流出する。同時に一部の洗剤は三通管９の第三管口９３で回流管１２を通ってから水力ダメ１１に回流させ、それによって余る出液量の洗剤を回流することによって、浪費を避けるほか、更に正確的に出液量を制御することができるのである。
【００３２】
また、洗剤が出口管６に通る時、同時に流量制御電磁弁１７を通り、流量制御電磁弁１７で流量を制御しながら制御ユニット４にフィードバックさせ、出したい出液量に達する時には、制御ユニット４がモーター５の作動を停止させながら、出液を停止させるのである。
【００３３】
なお、出液量が小さい場合、制御ユニット４に時間の長さでモーター５の作動を制御し、並びに対応する清算ユニット３で清算したより小さい出液量を制御するのである。
【００３４】
この考案の「洗剤販売設備」には、前記構造と制御に第一バルブ１０と第二バルブ１３の設置によって出液量および回流量を制御し、そして、回流管１２の設置によって浪費あるいは出液量の不確定を避けるため、余る洗剤を回流させ、更に流量制御電磁弁１７で流出量を精算し、構造の簡易化および流出量の精算でコスト管理とコストダウンの効果を達するのである。
【００３５】
上述した実施例に掲示されたのは、具体的に本考案を説明するために用いられる内容であり、本考案の実用新案登録請求の範囲を制限してはならず、当該数値の変更あるいは同等効果を持つユニットの置き換えも全て、後述の実用新案登録請求の範囲に含まれるものとする。
【００３６】
上述した詳細説明によって、具体的に本考案が前記目的を達すること我でき、実用新案登録を申し込みたいと思っている。
【符号の説明】
【００３７】
洗剤販売設備      １００
ボックス          １
吐水口            ２
精算ユニット      ３
開閉ボタン        ３１
制御ユニット      ４
モーター          ５
出口管            ６
入口管            ７
電源              ８
三通管            ９
第一管口          ９１
第二管口          ９２
第三管口          ９３
第一バルブ        １０
水力ダメ          １１
回流管            １２
第二バルブ        １３
出口バルブ        １４
回流穴            １５
モニター          １６
流量制御電磁弁    １７
容器              ２００
【図１】
0003201630.tif 000003
【図２】
0003201630.tif 000004